(57)【要約】【課題】物体が詰まった場合でも、迅速かつ容易に修復することができる物体処理装置又は記憶媒体処理機を提供すること。【解決手段】物体を受け入れて処理する物体処理装置１であって、第一の筐体部１０と第二の筐体部２０とが筐体連結部１６によって互いに開閉可能に連結されてなる筐体３と、第一の処理基体１１と第二の処理基体２２とが基体連結部１８によって互いに開閉可能に連結されてなり、前記筐体３の内部に設けられて前記物体に所定の処理を施す処理部１２と、前記第一の筐体部１０と前記第二の筐体部２０とを開閉させると、その開閉に合わせて、前記第一の処理基体１１と前記第二の処理基体２２とを開閉させる開閉手段とを備えることを特徴とする。【選択図】図２
2008065606.tif 000002
【特許請求の範囲】
【請求項１】
物体を受け入れて処理する物体処理装置であって、
第一の筐体部と第二の筐体部とが筐体連結部によって互いに開閉可能に連結されてなる筐体と、
第一の処理基体と第二の処理基体とが基体連結部によって互いに開閉可能に連結されてなり、前記筐体の内部に設けられて前記物体に所定の処理を施す処理部と、
前記第一の筐体部と前記第二の筐体部とを開閉させると、その開閉に合わせて、前記第一の処理基体と前記第二の処理基体とを開閉させる開閉手段と
を備えることを特徴とする物体処理装置。
【請求項２】
前記開閉手段が、
前記第一の筐体部又は前記第一の処理基体のいずれか一方に設けられた被案内部材と、
いずれか他方に設けられ、前記筐体連結部側又は前記基体連結部側とそれぞれの自由端側との間で前記開閉に合わせて被案内部材を案内する案内部材とを備えることを特徴とする請求項１に記載の物体処理装置。
【請求項３】
前記案内部材が、前記筐体連結部側又は前記基体連結部側からそれぞれの自由端側に向けて延びる長孔を備え、
前記被案内部材が、前記長孔にスライド可能に配される突起であることを特徴とする請求項２に記載の物体処理装置。
【請求項４】
請求項１から請求項３のいずれか一項に記載の物体処理装置を備え、
有価価値を特定可能な有価価値特定情報を記憶した記憶媒体を受け入れて前記有価価値特定情報を読み出し、その読み出した有価価値特定情報によって特定される有価価値の範囲内で遊技媒体の貸し出しを行う又は貸し出しのための通信を行うことを特徴とする記憶媒体処理機。
【発明の詳細な説明】
【技術分野】
【０００１】
本発明は、カードや紙幣等を受け入れて処理する物体処理装置、遊技場において利用されるカードや紙幣等を受け入れて処理する物体処理装置又は記憶媒体処理機に関する。
【背景技術】
【０００２】
従来、パチンコ機やスロットマシンなどの遊技機が設けられた遊技場において、例えば、記憶媒体や貨幣、遊技媒体などの物体を受け入れて、情報処理や計数処理などの各種処理を行う処理装置が利用されている。
これら処理装置として、例えば、台間機に内蔵されて、カード式の記憶媒体に記憶された情報を読み出して各種情報処理を行うカードリーダが提案されている（例えば、特許文献１参照。）。
このようなカードリーダとしては、本体部と外蓋との中に各種情報処理を行う処理部が設けられたものが知られている。
【特許文献１】特許第３６８３８９８号公報
【発明の開示】
【発明が解決しようとする課題】
【０００３】
しかしながら、上記のような特許文献１に記載の物体処理装置では、カードが詰まってしまった場合、まず外蓋を開けて、さらに処理部の蓋を外してから、詰まったカードを取り出す必要があるため、手間がかかってしまい、修復作業負担が増大してしまうという問題がある。
【０００４】
本発明は、このような事情に鑑みてなされたものであって、物体が詰まった場合でも、迅速かつ容易に修復することができる物体処理装置又は遊技媒体貸出機を提供することを目的とする。
【課題を解決するための手段】
【０００５】
上記課題を解決するために、本発明は以下の手段を提供する。
本発明に係る物体処理装置は、物体を受け入れて処理する物体処理装置であって、第一の筐体部と第二の筐体部とが筐体連結部によって互いに開閉可能に連結されてなる筐体と、第一の処理基体と第二の処理基体とが基体連結部によって互いに開閉可能に連結されてなり、前記筐体の内部に設けられて前記物体に所定の処理を施す処理部と、前記第一の筐体部と前記第二の筐体部とを開閉させると、その開閉に合わせて、前記第一の処理基体と前記第二の処理基体とを開閉させる開閉手段とを備えることを特徴とする。
【０００６】
この発明に係る物体処理装置においては、第一の筐体部と第二の筐体部とを開閉させると、開閉手段によって、その開閉に合わせて、第一の処理基体と第二の処理基体とが開閉する。
これにより、第一の筐体部と第二の筐体部との開閉という一つのアクションで、第一の処理基体と第二の処理基体とを開閉させることができる。
【０００７】
また、本発明に係る物体処理装置は、前記開閉手段が、前記第一の筐体部又は前記第一の処理基体のいずれか一方に設けられた被案内部材と、いずれか他方に設けられ、前記筐体連結部側又は前記基体連結部側とそれぞれの自由端側との間で前記開閉に合わせて被案内部材を案内する案内部材とを備えることを特徴とする。
【０００８】
この発明に係る物体処理装置においては、第一の筐体部と第二の筐体部とを開閉させると、案内部材が被案内部材に案内されて、第一の処理基体と第二の処理基体とが開閉する。
これにより、第一の筐体部と第二の筐体部との開閉動作に合わせて、第一の処理基体と第二の処理基体とをスムーズに開閉させることができる。
【０００９】
また、本発明に係る物体処理装置は、前記案内部材が、前記筐体連結部側又は前記基体連結部側からそれぞれの自由端側に向けて延びる長孔を備え、前記被案内部材が、前記長孔にスライド可能に配される突起であることを特徴とする。
【００１０】
この発明に係る物体処理装置においては、第一の筐体部と第二の筐体部とを開閉させると、突起が長孔内をスライドする。
これにより、第一の筐体部と第二の筐体部との開閉動作に合わせて、第一の処理基体と第二の処理基体とを確実に開閉させることができる。
【００１１】
また、本発明に係る記憶媒体処理機は、請求項１から請求項３のいずれか一項に記載の物体処理装置を備え、有価価値を特定可能な有価価値特定情報を記憶した記憶媒体を受け入れて前記有価価値特定情報を読み出し、その読み出した有価価値特定情報によって特定される有価価値の範囲内で遊技媒体の貸し出しを行う又は貸し出しのための通信を行うことを特徴とする。
【００１２】
この発明に係る記憶媒体処理機によれば、請求項１から請求項３のいずれか一項に記載の物体処理装置と同様の効果を奏することができる。
【発明の効果】
【００１３】
本発明によれば、第一の処理基体と第二の処理基体とを筐体に合わせて開閉させることができることから、処理部に物体が詰まった場合でも、迅速かつ容易に修復することができる。
【発明を実施するための最良の形態】
【００１４】
（実施形態１）
以下、本発明の第一の実施形態における物体処理装置について、図面を参照して説明する。
ここでは、物体処理装置をリーダライタに適用した場合について説明する。
図１は、リーダライタ１を示した斜視図である。
【００１５】
リーダライタ１は、表面に種々の情報が印刷されたロイコカード（物体）２を内部に受け入れて、その印刷された情報を読み出したり、新たな情報を書き込んだりする装置である。
このリーダライタ１は、直方体形状の筐体３を備えている。
筐体３の前面には、開口部６が形成されており、この開口部６を介してロイコカード２が挿脱されるようになっている。
【００１６】
筐体３は、直方体形状の第一の筐体部１０と第二の筐体部２０とを備えている。これら第一の筐体部１０と第二の筐体部２０とは、図２及び図３に示すように、筐体ヒンジ部（筐体連結部）１６を介して互いに開閉可能に連結されている。筐体ヒンジ部１６は、第一の筐体部１０と第二の筐体部２０との長さ方向の一端（基端）に設けられている。第一の筐体部１０と第二の筐体部２０との長さ方向の他端（先端）は解放されておりそれぞれ筐体自由端部１０ａ，２０ａとされている。
筐体３の内部には、ロイコカード２に対して種々の処理を施す処理部１２が設けられている。処理部１２は、開口部６の近傍に設けられたコンタクトイメージセンサ１５と、筐体３内においてロイコカード２を搬送するための搬送ローラ（不図示）と、ロイコカード２に情報を印刷するためのサーマルヘッド（不図示）とを備えている。そして、処理部１２は、開口部６から挿入されたロイコカード２を取り込んで搬送し、その表面に印刷された情報を読み出したり、新たな情報を印刷したりするようになっている。
【００１７】
また、処理部１２は、ケーシングとして直方体形状の第一の処理基体１１と第二の処理基体２２とを備えている。第一の処理基体１１及び第二の処理基体２２の長さ寸法は、同一寸法に設定されており、また第一の筐体部１０及び第二の筐体部２０の長さ寸法よりも小さく設定されている。これら第一の処理基体１１と第二の処理基体２２とは、基体ヒンジ部（基体連結部）１８を介して開閉可能に連結されている。基体ヒンジ部１８は、第一の処理基体１１と第二の処理基体２２との長さ方向の一端（基端）に設けられている。第一の処理基体１１と第二の処理基体２２との長さ方向の他端（先端）は解放されておりそれぞれ基体自由端部１１ａ,２２ａとされている。
なお、筐体ヒンジ部１６と基体ヒンジ部１８とは、筐体３の長さ方向の一端側に配置されており、第一の筐体部１０及び第二の筐体部２０と、第一の処理基体１１及び第二の処理基体２２とは、同方向に開閉するようになっている。
【００１８】
さらに、第一の筐体部１０の裏面には、第一の筐体部１０の長さ方向に延びる案内部材２５が設けられている。なお、第一の筐体部１０の長さ方向とは、筐体ヒンジ部１６側から筐体自由端部１０ａ側に延びる方向をいうものであり、第一の筐体部１０と第二の筐体部２０との回転によって描かれる円の半径方向をいうものである。案内部材２５は、第一の筐体部１０の長さ方向に直交する方向に対向して一対設けられている。案内部材２５の互いに対向する側には、第一の筐体部１０の長さ方向に延びる長孔２６が形成されている。
【００１９】
また、第一の処理基体１１の側面のうち他端部（先端部）には、第一の処理基体１１の長さ方向に直交する方向に突出する一対の突起部（被案内部材）２７が設けられている。一対の突起部２７は、それぞれ長孔２６内に配されており、第一の筐体部１０と第二の筐体部２０との開閉動作に応じて、突起部２７が長孔２６内を案内されてスライドするようになっている。すなわち、これら案内部材２５と突起部２７とは、開閉手段を構成するものである。
なお、第一の処理基体１１の長さ方向とは、基体ヒンジ部１８側から基体自由端部１１ａ側に延びる方向をいうものであり、第一の処理基体１１と第二の処理基体２２との回転によって描かれる円の半径方向をいうものである。
【００２０】
次に、このように構成された本実施形態におけるリーダライタ１の作用について説明する。
第一の筐体部１０と第二の筐体部２０とが閉じられた状態で、開口部６を介して、ロイコカード２を挿入する。すると、不図示の搬送ローラが回転することにより、ロイコカード２が筐体３内に取り込まれる。そして、コンタクトイメージセンサ１５によって、ロイコカード２の表面に印刷されたＱＲコード（２次元バーコード）が読み出される。そして、これら読み出された情報が、リーダライタ１に接続されたコンピュータに送信され、そのコンピュータによって所定の処理が施される。さらに、処理部１２によってロイコカード２のＱＲコードが消去され、コンピュータから送信された新たな情報が不図示のサーマルヘッドによってロイコカード２に印刷される。そして、開口部６を介してロイコカード２が排出される。
【００２１】
ここで、従来では、ロイコカード２が処理部１２内で詰まった場合、第一の筐体部１０と第二の筐体部２０とを開けてから、さらに、第一の処理基体１１と第二の処理基体２２とを開ける必要があり、２段階の動作が必要であった。
本実施形態におけるリーダライタ１では、以下のようにして開閉動作する。
すなわち、第一の筐体部１０の一端部を第二の筐体部２０に対して離していくと、筐体ヒンジ部１６を介して第一の筐体部１０が第二の筐体部２０に対して回転していく。すると、突起部２７が長孔２６内に配されていることから、図３に示すように、第一の処理基体１１の一端部が持ち上げられていく。そして、第一の筐体部１０の同方向のさらなる回転移動によって、第一の処理基体１１が引っ張られ、第二の処理基体２２に対して基体ヒンジ部１８を介して回転していく。
【００２２】
このとき、筐体ヒンジ部１６と基体ヒンジ部１８との設置位置が異なることから、第一の筐体部１０と第一の処理基体１１との回転軌跡は異なることになる。そのため、突起部２７は、長孔２６に案内されて筐体ヒンジ部１６側（基端側）にスライドし、これにより両者の回転軌跡の差異が吸収される。そして、第一の筐体部１０を開けると、図２に示すように、第一の処理基体１１も開いた状態となる。そのため、詰まったロイコカード２を容易に取り出すことができる。
一方、第一の筐体部１０と第二の筐体部２０とが開いた状態から、それらを閉じていくと、上記と逆の動作によって、第一の処理基体１１と第二の処理基体２２とが閉じられる。
すなわち、第一の筐体部１０と第二の筐体部２０との開閉動作に連動して、第一の処理基体１１と第二の処理基体２２とが開閉する。
【００２３】
以上より、本実施形態におけるリーダライタ１によれば、第一の筐体部１０と第二の筐体部２０とを開閉させるだけで、一つのアクションで第一の処理基体１１と第二の処理基体２２とを開閉させることができることから、処理部１２にロイコカード２が詰まった場合でも、迅速かつ容易にリーダライタ１を修復することができる。
【００２４】
（実施形態２）
次に、本発明の第２の実施形態における記憶媒体処理機ついて説明する。
図４及び図５は、本発明の第２の実施形態を示したものである。
図４及び図５において、図１から図３に記載の構成要素と同一部分については同一符号を付し、その説明を省略する。
この実施形態と上記第一の実施形態とは基本的構成は同一であり、ここでは異なる点についてのみ説明する。
【００２５】
記憶媒体処理機３０は、例えばパチンコ機に隣接して設置されて、パチンコ機に玉を供給するものである。
記憶媒体処理機３０の正面部には、ランプ３４と、表示部３６とが設けられている。また、記憶媒体処理機３０の正面部には、貸し玉ボタンなどの操作ボタン３７と、パチンコ機に玉を供給するノズル３８とが設けられている。さらに、記憶媒体処理機３０の正面部には、紙幣が挿入される紙幣挿入口３５と、ＩＣカード（記憶媒体）が挿入されるカード挿入口３２と、カード回収部３９とが形成されている。
【００２６】
ＩＣカード（記憶媒体）としては、例えば、会員用ＩＣカードや非会員用ＩＣカードなどがある。ＩＣカードには、有価価値特定情報としての貨幣度数、または／及びＩＤなどの有価価値特定情報が記憶されている。ＩＤをＩＣカードに記憶する場合には、読み出したＩＤを記憶媒体処理機３０と通信可能にネットワーク接続される管理装置（図示しない）に送信し、管理装置は受信したＩＤ情報に基づき管理装置の記憶部から貨幣度数を読み出し、読み出した貨幣度数を記憶媒体処理機３０に送信し、貨幣度数を受信した記憶媒体処理機３０では、有価価値としての貨幣度数を特定することができる。
また、記憶媒体処理機３０は、紙幣挿入口３５を介して挿入された紙幣を取り込んで計数処理を行う紙幣計数処理装置４０と、カード挿入口３２を介して挿入されたＩＣカードに対して情報の読み書きを行うリーダライタ４１とを備えている。すなわち、紙幣計数処理装置４０及びリーダライタ４１は、ともに物体処理装置として機能するものであり、紙幣及びＩＣカードが物体に相当するものである。なお、記憶媒体処理機３０には、図７に図示されたＩＣカードに記憶された有価価値特定情報を読み出して特定された貨幣度数（有価価値）遊技媒体（メダルや玉）を受け皿４３に直接払い出すタイプと、遊技機に貸し玉ボタンとＩＣカードの返却ボタンを備え、記憶媒体処理機３０としてはカード受入口３２のみを有し、カード受入口３２に受け入れたＩＣカードに記憶された有価価値特定情報を読み出して特定された貨幣度数（有価価値）遊技媒体（メダルや玉）を遊技機から払い出すことを遊技機と通信することで実現する所謂ユニットタイプとがある。なおここで通信するとは、遊技機の貸玉ボタン、返却ボタンの押されたことを示す信号をユニット型の記憶媒体処理機３０に送り、ユニット型の記憶媒体処理機３０では、前述の如く特定された貨幣度数（有価価値）があれば遊技媒体（玉、メダル等）を貸し出す指令となる信号を遊技機に送ることなどを例示できる。
【００２７】
紙幣計数処理装置４０は、図５に示すように、筐体３Ａを備えている。筐体３Ａは、第一の筐体部１０Ａと第二の筐体部２０Ａとを備えており、これら第一の筐体部１０Ａと第二の筐体部２０Ａとは、筐体ヒンジ部１６Ａ（筐体連結部）を介して互いに開閉可能に連結されている。筐体３Ａの内部には、紙幣の計数処理を行う処理部１２Ａが設けられている。処理部１２Ａは、第一の処理基体１１Ａと第二の処理基体２２Ａとを備えている。これら第一の処理基体１１Ａと第二の処理基体２２Ａとは、基体ヒンジ部（基体連結部）１８Ａを介して開閉可能に連結されている。
【００２８】
また、リーダライタ４１は、筐体３Ｂを備えている。筐体３Ｂは、第一の筐体部１０Ｂと第二の筐体部２０Ｂとを備えており、これら第一の筐体部１０Ｂと第二の筐体部２０Ｂとは、筐体ヒンジ部１６Ｂ（筐体連結部）を介して互いに開閉可能に連結されている。筐体３Ｂの内部には、ＩＣカードに記憶された有価価値特定情報を読み出したり、新たな情報を書き込む処理を行う処理部１２Ｂが設けられている。処理部１２Ｂは、第一の処理基体１１Ｂと第二の処理基体２２Ｂとを備えている。これら第一の処理基体１１Ｂと第二の処理基体２２Ｂとは、基体ヒンジ部（基体連結部）１８Ｂを介して開閉可能に連結されている。
【００２９】
このような構成のもと、第一の筐体部１０Ａ，１０Ｂ及び第二の筐体部２０Ａ，２０Ｂを開閉させると、上記と同様にして、第一の処理基体１１Ａ，１１Ｂと第二の処理基体２２Ａ，２２Ｂとが開閉する。
すなわち、第一の筐体部１０Ａ，１０Ｂと第二の筐体部２０Ａ，２０Ｂとの開閉動作に連動して、第一の処理基体１１Ａ，１１Ｂと第二の処理基体２２Ａ，２２Ｂとが開閉する。
【００３０】
以上より、本実施形態における記憶媒体処理機３０によれば、上記実施形態と同様の効果を奏することができる。
【００３１】
なお、上記第２の実施形態においては、記憶媒体処理機として、ノズル３８を介してパチンコ玉をパチンコ機の上皿に供給するものとしたが、これに限ることはなく、その構成は適宜変更可能である。例えば、図６に示すように、パチンコ機の内部から上皿にパチンコ玉を直接供給するように、パチンコ機と通信を行うものであってもよい。また、図７に示すように、スロットマシン用のメダルをメダル払い出し口４３に供給するようにしてもよい。さらに、メダル払い出し口４３に代えて、メダル供給用のノズルを設けてスロットマシンにメダルを供給するようにしてもよい。
【００３２】
また、上記第１及び第２の実施形態において、リーダライタ１，４１及び紙幣計数処理装置４０としたが、これに限ることはなく、処理装置としては適宜変更可能である。例えば、硬化や遊技媒体などの計数処理装置や、記憶媒体に対して各種情報処理を行う記憶媒体処理装置としてもよい。
また、筐体側に長孔２６を設け、処理部側に突起部２７を設けるとしたが、これに代えて、筐体側に突起部を設け、処理部側に長孔を設けてもよい。
また、長孔２６としたが、この長孔２６にはスリットなども含まれるものとする。
さらに、開閉手段としては、上記の構成に限ることなく、適宜変更可能である。例えば、筐体を開けるとモータが駆動して、このモータによって処理部を開けるようにしてもよい。
なお、本発明の技術範囲は上記の実施形態に限定されるものではなく、本発明の趣旨を逸脱しない範囲において、種々の変更を加えることが可能である。
【図面の簡単な説明】
【００３３】
【図１】本発明の第一の実施形態として、物体処理装置をリーダライタに適用した様子を示す斜視図である。
【図２】図１の筐体が開いた様子を示す斜視図である。
【図３】図１の第一の筐体が開閉の途中位置に配された様子を示す斜視図である。
【図４】本発明の第２の実施形態としての記憶媒体処理機を示す平面図である。
【図５】図４の第一の筐体を開いた様子を示す斜視図である。
【図６】図４の記憶媒体処理機の変形例を示す正面図である。
【図７】図４の記憶媒体処理機の他の変形例を示す正面図である。
【符号の説明】
【００３４】
１，  １´  リーダライタ（物体処理装置）
２    ロイコカード（物体）
３，３Ａ，３Ｂ  筐体
１０，１０Ａ，１０Ｂ  第一の筐体部
１１，１１Ａ，１１Ｂ  第一の処理基体
１２，１２Ａ，１２Ｂ  処理部
１６，１６Ａ，１６Ｂ  筐体ヒンジ部（筐体連結部）
１８，１８Ａ，１８Ｂ  基体ヒンジ部（基体連結部）
２０，２０Ａ，２０Ｂ  第二の筐体部
２２，２２Ａ，２２Ｂ  第二の処理基体
２５  案内部材
２６  長孔
２７  突起部（被案内部材）
３０  記憶媒体処理機
【図１】
2008065606.tif 000003
【図２】
2008065606.tif 000004
【図３】
2008065606.tif 000005
【図４】
2008065606.tif 000006
【図５】
2008065606.tif 000007
【図６】
2008065606.tif 000008
【図７】
2008065606.tif 000009